(57)【要約】本発明は、ガス（特に、ＣＯ2だけでなくてＨ2Ｓおよびメルカプタンの形における硫黄で汚染されている、例えば天然ガスのような炭化水素質のガス）を清浄にするための方法に関するものである。  Ｈ2Ｓおよびメルカプタンの形における所望しない硫黄含有物質をクラッドガスから除去するために、本発明によれば、クラッドガスが吸収および再生カラムに導入されてそこで洗浄され、３つのガス流が上記吸収および再生カラムから取り出され、第１の排ガス流がクラウスプラントに導入され、低Ｈ2Ｓ濃度を有する第２のサワーガス流が別の吸収プラントに導入され、第３のガス流（メルカプタンを有する有価値のガス）が、冷却されて、吸収プラントに供給されることと、上記清浄化された有価値のガスが上記吸収プラントから取り出され、そして、メルカプタン含有ガス流が洗浄にかけられることと、この濃縮されたメルカプタン含有ガスが上記クラウスプラントに供給されることとが提案されている。
2005518271.tif 000002
【特許請求の範囲】
【請求項１】
クラッドガスが吸収および再生カラム２に導入されてそこで洗浄される、クラッドガスからメルカプタンを除去する方法であって、
３つのガス流３、４、５が上記吸収および再生カラム２から取り出され、
第１の排ガス流５がクラウスプラント１４に導入され、
３０容量％までのＨ2Ｓ濃度を有する第２のガス流４が別の吸収プラント１５に導入される上記方法において、
メルカプタンを有する有価値のガスである第３のガス流３が、冷却６されて、吸収プラント８に供給され、
上記清浄化された有価値のガス９が上記吸収プラント８から取り出され、そして、メルカプタン含有ガス流１０が洗浄ステージ１１にかけられ、
そして、上記濃縮されたメルカプタン含有ガス１３が上記クラウスプラント１４に供給されることを特徴とする、クラッドガスからメルカプタンを除去する方法。
【請求項２】
上記洗浄ステージ１１が物理的な洗浄ステージであることを特徴とする請求項１に記載の方法。
【請求項３】
上記第２のガス流４が吸収プラント１５において強化され、
その結果として生じる溶液１６が再生１７に供給され、
そして、その結果として生じるＨ2Ｓ濃縮のガス１９がクラウスプラント１４に供給されることを特徴とする請求項１に記載の方法。
【請求項４】
Ｈ2Ｓ含有溶液２６が、残余のクラウスガス２０の水素化２２の後位に配置されている吸収プラント２４から取り出されて、サワーガスのために上記吸収プラント１５に導入されることを特徴とする請求項１に記載の方法。
【請求項５】
強化吸収１５からのガスが、水素化２２に導入され、ついで、吸収プラント２４に導入されることを特徴とする請求項１に記載の方法。
【発明の詳細な説明】
【技術分野】
【０００１】
本発明は、ガス（特に、ＣＯ2だけでなくてＨ2Ｓおよびメルカプタンの形における硫黄で汚染されている、例えば天然ガスのような炭化水素質のガス）を清浄にする方法に関するものである。
【背景技術】
【０００２】
文献ＷＯ９７／２６０６９には、二酸化炭素および硫黄を含むガス（このガスには、メルカプタンおよびＨ2Ｓの形における硫黄で汚染されている汚染物（すなわち、不純物）が存在している。）を清浄にする方法が記載されている。第１の吸収においては、硫黄で汚染された不純物は、清浄ガス流およびサワーガス流を作り出すために、上記ガスから除去される。このサワーガスは、多量のメルカプタンをＨ2Ｓに転化するために、水素化される。この水素化されたサワーガスは、第２の吸収／再生プラントに導入される。この吸収／再生プラントにおいては、サワーガスは、Ｈ2Ｓに富んでいる第１のガス流（このガス流は、クラウスプラントに導入される。）と、Ｈ2Ｓを僅かしか含まない第２のガス流（このガス流は、後燃焼に供給される。）とに分離される。クラウスプラントは、Ｈ2Ｓがさらに低減されかつＨ2Ｓに富んだガスが取り出されるつぎのガス後処理によって後続されている。
【特許文献１】国際公開第９７／２６０６９号パンフレット
【発明の開示】
【発明が解決しようとする課題】
【０００３】
この方法における不利益は、上記ガスから除去されることができる硫黄およびメルカプタンの量が少なすぎることである。上記従来技術によれば、９５重量％よりも多いクラウド（すなわち、未精製の）ガスから硫黄を除去することは、大きな労力でもってのみ可能である。
【特許文献１】国際公開第９７／２６０６９号パンフレット
【０００４】
本発明の根底にある目的は、炭化水素質のガスを清浄にするための改良された方法（この方法においては、Ｈ2Ｓおよびメルカプタンの形における所望しない硫黄含有物質が除去される。）を作り出すことである。
【課題を解決するための手段】
【０００５】
本発明によれば、上記目的は、クラッドガスが吸収および再生カラムに導入されてそこで洗浄され、３つのガス流が上記吸収および再生カラムから取り出され、第１の排ガス流がクラウスプラントに導入され、１０〜３０容量％の低Ｈ2Ｓ濃度を有する第２のサワーガス流が別の吸収プラントに導入され、そして、第３のガス流（メルカプタンを有する有価値のガス）が、冷却されて、吸収プラントに供給されることと、スイートガスが上記吸収プラントから取り出され、そして、メルカプタン含有のガス流が洗浄にかけられることとによって達成される。洗浄ステージとして、物理的な洗浄ステージ（例えば、プリゾールプラント）を用いるのが好ましい。この物理的な洗浄ステージでもって、高メルカプタン濃度を有するガスの少量がクラウスプラントに導入され、そして、上記吸収プラントの再生からの一緒に吸着された有価値のガスの一部が燃料ガスとして回収される。上記クラウスプラントにおいては、メルカプタンガスは完全に燃焼される。
【０００６】
上記クラウスプラントに導入される前に、上記第２のサワーガス流が吸収において最初に強化され、そして、上記溶液が強化洗浄ステージにおいて再生されるという事実のために、上記サワーガス流がより高いＨ2Ｓ濃度を有しているので、上記クラウスプラントはより小さくデザインされることができる。上記第１の吸収からのガス流の処理およびつぎのガス洗浄ステージにおけるクラウス排ガスの処理だけでなく、上記クラウスプラントにおける濃縮されたＨ2Ｓ含有ガスおよびメルカプタン流の処理は、プラント全体の硫黄の回収の割合を増加させる。
【０００７】
強化されるべきサワーガスのための吸収プラントがより少量のあく（灰汁、すなわち、苛性アルカリ溶液）を消費し、そして、唯一の再生カラムが必要とされることを達成するために、Ｈ2Ｓ含有溶液は、残余のクラウスガスの水素化の後位に配置されている吸収プラントから取り出されて、サワーガスを強化するための吸収に導入される。
【０００８】
強化吸収からのガスが、硫黄成分をＨ2Ｓに転化するために、水素化に導入され、ついで、つぎのガス後処理の吸収に導入されることによって、硫黄回収の割合は増加する。
【発明を実施するための最良の形態】
【０００９】
本方法の実施例は、図面を参照しつつ具体例によって説明されるだろう。
【００１０】
クラッドガス（すなわち、未精製ガス）は、吸収および再生カラム（すなわち、吸収および再生塔）２を備えた第１の洗浄ステージ（すなわち、洗浄段）にライン（すなわち、管路）１を通して導入されて、そこで洗浄される。上記再生からの第１の排ガス流５は、クラウスプラント１４に直接に導入される。この排ガス流５は、少量ずつのメルカプタン（０．３容量％まで）およびＨ2Ｓ（５容量％まで）とともに、８０容量％までの炭化水素および２０容量％までのＣＯ2から主として成っていた。
【００１１】
Ｈ2Ｓが３０容量％までの低いＨ2Ｓ濃度を有する第２のサワーガス流４は、別の吸収プラント１５に導入されて、ライン２６およびライン２７からの無負荷の溶媒（すなわち、溶剤）でもってそこで強化される。Ｈ2Ｓを負荷された上記溶媒１６は、吸収プラント１５から再生プラント１７に導入される。吸収プラント１５からのガス（９７容量％までのＣＯ2および０．２容量％までのメルカプタン）は、ライン１８を経由して水素化（すなわち、水素添加）２２に供給される。
【００１２】
Ｈ2Ｓが６０容量％までの高いＨ2Ｓ濃度を有するサワーガスは、上記再生１７からライン１９を経由してクラウスプラント１４に導入される。
【００１３】
第３のガス流３（最大含量のメルカプタンを有する有価値のガス）は、吸収および再生カラム２から取り出されて冷却６され、そして、ライン７を経由して吸収８に供給される。上記有価値のガスは、上記吸収８からライン９を経由してさらなるプロセス（例えば、液化）に供給される。メルカプタン含有ガス流１０は、物理的な洗浄ステージ（一緒に吸着された有価値のガスは、この洗浄ステージからライン１２を経由して燃料ガスとして回収される。）にかけられ、そして、高濃縮メルカプタンガスは、ライン１３を経由してクラウスプラント１４に供給される。このメルカプタン流は、プリゾール（Ｐｕｒｉｓｏｌ）溶媒の再生において回収される。その量は少ないが、メルカプタン濃度は１０容量％〜６０容量％と非常に高い。プリゾール（Ｐｕｒｉｓｏｌ）プラント１１の代りとして、別の物理的または物理化学的な洗浄ステージが可能である。しかし、これは、ＣＨ4が過剰に吸収されるという不利益を有している。クラウスプラント１４において、メルカプタンは完全に燃焼される。そこから得られるＳＯ2は、硫黄を形成するために、ライン１９のサワーガスからのＨ2Ｓと反応させられる。この得られた液体硫黄は、ライン２１を経由して取り出されて、さらなる用途に供給される。このために、高い割合の硫黄回収が達成される。クラウスプラント１４は、反応を達成するための複数または多数の触媒反応装置だけでなく燃焼炉からも成るそれ自体は知られたプラントである。クラウスプラント１４においては、無濃縮の元素硫黄は別にして、未反応の二酸化硫黄およびＨ2Ｓを含んでいる、いわゆる残余のクラウスガスが常に得られる。この残余のガスは、ライン２０を経由して取り出されて、硫黄回収の割合を増加させるために、後処理にかけられる。上記残余のクラウスガスは、吸収プラント１５からライン１８を経由してガスを同様に供給される水素化プラント２２にライン２０を経由して供給される。ＳＯ2は、この水素化においてＨ2Ｓに転化されて、ライン２３を経由して吸収プラント２４に供給される。溶液が、Ｈ2Ｓのさらなる吸収のために、この吸収プラント２４からライン２６を経由して強化吸収１５に導入される。残りのＨ2Ｓ含有ガスは、吸収プラント２４からライン２５を経由して取り出されて、燃焼に供給される。
【００１４】
具体例
つぎの表は、それぞれのラインにおけるガス流の解析を示している。ライン１６、２６、２７および２８における液体プロセス流は、示されていない。
【００１５】
2005518271.tif 000003
【００１６】
2005518271.tif 000004
【００１７】
2005518271.tif 000005
【００１８】
上記表に表わされている値に対応するように、クラッドガスは、ライン１を経由して吸収および再生カラム２に導入されて、そこで洗浄される。再生からの第１の排ガス流５（この排ガス流５は、少量ずつのメルカプタンおよびＨ2Ｓとともに、約７６容量％の炭化水素および約１３容量％のＣＯ2から成る。）は、クラウスプラント１４に直接導入される。
【００１９】
低Ｈ2Ｓ濃度（２０．５容量％）を有する第２のサワーガス流４は、吸収プラント１５に導入され、ここで、ライン２６およびライン２７からの無負荷のまたはほとんど負荷されていない溶媒でもって強化される。Ｈ2Ｓで負荷された溶媒１６は、吸収プラント１５から再生プラント１７に導入される。吸収プラント１５からの約９６容量％のＣＯ2および約０．２容量％のメルカプタンを有するガスは、ライン１８を経由して水素化２２に供給される。高いＨ2Ｓ濃度（４３．８容量％）を有するサワーガスは、再生１７からライン１９を経由してクラウスプラント１４に導入される。
【００２０】
約０．０１容量％のメルカプタン含量を有する第３のガス流３は、吸収および再生カラム２から取り出されて冷却６され、そして、ライン７を経由して吸収８に供給される。有価値のガスは、この吸収８からライン９を経由してさらなるプロセス（例えば、液化）に供給される。メルカプタン含有ガス流は、物理的洗浄ステージにかけられ、有価値のガスの一部分は、この洗浄ステージからライン１２を経由して燃料ガスとして回収され、そして、高濃縮メルカプタンガスは、ライン１３を経由してクラウスプラント１４に供給される。このメルカプタン流は、プリゾール溶媒の再生において回収される。その量は少ないが、メルカプタン濃度は約５４容量％と非常に高い。クラウスプラント１４において、メルカプタンは完全に燃焼される。その結果として生じるＳＯ2は、硫黄を得るために、ライン１９のサワーガスからのＨ2Ｓと反応させられる。得られる液体硫黄は、ライン２１を経由して取り出されて、さらなる用途に供給される。クラウスプラントの残余のガスは、ＣＯ2成分、Ｎ2成分およびＨ2Ｏ成分から主として成り、そして、ライン２０を経由して取り出された。
【図１】
2005518271.tif 000006
【国際調査報告】
2005518271.tif 000007
2005518271.tif 000008
2005518271.tif 000009
2005518271.tif 000010
2005518271.tif 000011
2005518271.tif 000012